(57)【特許請求の範囲】
【請求項１】
床スラブ上に支持され、弾性変形可能であって振動を減衰させる第１弾性部材と、
前記第１弾性部材上に支持され、前記床スラブとの間に間隔をもって配置される床材を支持する支持部材と、
前記支持部材と離間した位置で前記床材の下面に取り付けられ、中空空間が構成され、弾性変形可能とされた第２弾性部材と、
前記第２弾性部材に引張力を作用させるように取り付けられ、前記第２弾性部材の弾性変形によって変位して振動を減衰させる質量体と、
を備え、
前記第２弾性部材は筒状とされ筒軸方向が前記床材の下面に沿って配置されている、床支持吸振具。
【請求項２】
前記質量体は、前記第２弾性体の前記中空空間に配置されること、を特徴とする請求項１に記載の床支持吸振具。
【請求項３】
床スラブと、
前記床スラブと間隔をもって配置される床材と、
請求項１または請求項２に記載の床支持吸振具と、
を備えた床構造。
【発明の詳細な説明】
【技術分野】
【０００１】
本発明は、二重床の床材を支持する床支持吸振具、この床支持吸振具を用いた床構造に関する。
【背景技術】
【０００２】
床構造においては、床衝撃音の遮断性能を向上させるために、支持部材を介して床基盤上から所定の高さに床を設ける二重床構造とする場合がある。このような二重床構造では、例えば、特許文献１に記載のように、弾性体と質量体を用いて床からの振動を減衰させる技術が開示されている。
【０００３】
特許文献１に記載の床構造によれば、床からの振動を効果的に減衰させることができる。しかしながら、特許文献１の床支持具は、第１弾性部材と第２弾性部材とが直列に配置されているため、床支持具の高さが高くなり、低床への対応には限界がある。
【特許文献１】特開２００７−０４００９３号公報
【発明の開示】
【発明が解決しようとする課題】
【０００４】
本発明は、上記事実を考慮してなされたものであり、床衝撃音の遮断性能が良好となると共に、低床に適用することの可能な床支持吸振具、及び、床構造を提供することを課題とする。
【課題を解決するための手段】
【０００５】
請求項１に記載する本発明の床支持吸振具は、床スラブ上に支持され、弾性変形可能であって振動を減衰させる第１弾性部材と、前記第１弾性部材上に支持され、前記床スラブとの間に間隔をもって配置される床材を支持する支持部材と、前記支持部材と離間した位置で前記床材の下面に取り付けられ、中空空間が構成され、弾性変形可能とされた第２弾性部材と、前記第２弾性部材に引張力を作用させるように取り付けられ、前記第２弾性部材の弾性変形によって変位して振動を減衰させる質量体と、を備え、前記第２弾性部材は筒状とされ筒軸方向が前記床材の下面に沿って配置されている。
【０００６】
請求項１に記載する床支持吸振具によれば、床材に振動が加わった場合、この振動は、第２弾性部材へ伝わる。これによって、第２弾性部材が弾性変形して質量体が振動を吸収するように上下動することで、床材から床スラブへの振動を減衰する。減衰された振動は、さらに第１弾性部材によって減衰されて床スラブへ伝わるので、床衝撃音が良好に遮断される。
【０００７】
また、第２弾性部材が、支持部材と離間した位置で床材の下面に取り付けられているので、第２弾性部材と第１弾性部材とを並列的に配置することができ、床支持吸振具の高さを低くすることができる。
【０００８】
また、第２弾性部材に中空空間が構成されているので、この中空空間の大きさを変えたり、長さや厚みを変えたりすることにより、第２弾性部材のバネ定数を容易に調整することができる。
【０００９】
また、床支持吸振具は、前記第２弾性部材が筒状とされ筒軸方向が前記床材の下面に沿って配置されている。
【００１０】
このように、第２弾性部材を筒状として、筒の中空を中空空間とすることにより、容易に中空空間を構成することができる。
【００１１】
請求項２に記載する床支持吸振具は、前記質量体が、前記第２弾性体の前記中空空間に配置されること、を特徴とする。
【００１２】
このように、質量体を中空空間に配置することにより、質量体と配管などの床下に配置される部材との干渉を防止することができる。
【００１３】
請求項３に記載する床構造は、床スラブと、前記床スラブと間隔をもって配置される床材と、請求項１または請求項２に記載の床支持吸振具と、を備えている。
【００１４】
本発明の床構造によれば、床スラブと床材との間の距離が短い場合であっても、床支持吸振具によって、床衝撃音を良好に遮断することができる。
【発明の効果】
【００１５】
以上説明したように、本発明の床支持吸振具、及び、床構造によれば、床衝撃音の遮断性能が良好となると共に、低床に適用することができる。
【発明を実施するための最良の形態】
【００１６】
［第１実施形態］
【００１７】
本発明における床支持吸振具、及び、この床支持吸振具が適用される床構造の実施形態を図面に基づき説明する。なお、図中の矢印ＵＰは床構造における上方向を示す。
【００１８】
図１に示される床構造１０は、主に集合住宅に用いられる二重床（乾式遮音二重床）の構造であり、上階で発せられて階下に伝播する床衝撃音（歩行音、物の落下音、子供の飛び跳ね等）を低減させるための構造である。
【００１９】
（床構造及び床支持吸振具の構成）
【００２０】
図１に示されるように、床構造１０は、躯体床となるコンクリート製の床スラブ１２と上床材１４との間に、所定の間隔で複数本並べられた床支持具１６、及び、動吸振器３０を介在させており、床支持具１６、及び、動吸振器３０で構成される床支持動吸振器２８の介在によって床スラブ１２と上床材１４との間に空間を形成して遮音効果を得る状態としている。
【００２１】
なお、本実施形態の上床材１４は、下地パネル１４Ａを備えると共に、下地パネル１４Ａ上に捨張材１４Ｂを設け、その上にさらに仕上げ材１４Ｃを設けた積層構造となっている。ここで、仕上げ材１４Ｃを除いた上床材１４（下地パネル１４Ａ及び捨張材１４Ｂ）、及び、床支持具１６、動吸振器３０が床下地材である。
なお、捨張材１４Ｂは、必ずしも必要ではなく、捨張材１４Ｂを除いた構成とすることもできる。
【００２２】
図２には、下地パネル１４Ａと、床支持具１６及び動吸振器３０の配置図が示されている。下地パネル１４Ａは、各々、所定間隔の隙間（以下「目地Ｍという」）が構成されるように敷設されている。目地Ｍは、下地パネル１４Ａ同士の接触による軋み音などを防止するために、１０ｍｍ〜２０ｍｍ程度の間隔とされている。床支持具１６は、目地Ｍを跨ぐようにして配置されている。動吸振器３０は、図２（Ａ）に示すように、下地パネル１４Ａの短手方向の中央部で床支持部１６の中間部に所定間隔で配置してもよいし、図２（Ｂ）に示すように、短手方向の両端部で床支持具１６の近傍に所定間隔で配置してもよい。
【００２３】
図３に示されるように、床支持具１６は、第１弾性部材としてのクッションゴム１８、支持部材としての支持ボルト２２、支持パネル１５を備えている。
【００２４】
クッションゴム１８は、床スラブ１２上に配置されている。クッションゴム１８は、円筒状とされており、上床材１４からの振動を減衰させるために、床スラブ１２上に支持されるものであり、弾性変形可能とされる。
【００２５】
クッションゴム１８上には、中間受け部としての中間受け部材２０を介して支持ボルト２２が直立状態で支持されている。中間受け部材２０は、円筒状とされて中間部にフランジ部２０Ａを備え、円筒部の一方側がクッションゴム１８の筒内側に挿入されると共にフランジ部２０Ａの下面（クッションゴム１８側へ向けられた面）がクッションゴム１８の上面（床スラブ１２側の面と反対側の面）に固着されている。中間受け部材２０の円筒部内周面には、雌ネジ部２０Ｂが形成され、この雌ネジ部２０Ｂには、支持ボルト２２の軸部に形成された雄ネジ部２２Ａが螺合される。これにより、中間受け部材２０が支持ボルト２２に一体化される。
【００２６】
下地パネル１４Ａの下側には、下地パネル１４Ａを支持するように、所定間隔で目地Ｍを跨いで支持パネル１５が配置されている。支持パネル１５は正方形板状とされ、中央部に調整孔１５Ａが構成されている。
【００２７】
支持ボルト２２は、クッションゴム１８と反対側、すなわち、床スラブ１２と反対方向へ延びて、上端部が支持パネル１５の調整孔１５Ａに取り付けられている。支持ボルト２２は、支持パネル１５を介して上床材１４を支持するようになっている。パネル受け部材２４は、円筒状の円筒部２４Ｂと、円筒部２４Ｂの一方の開口部から外側へ向けて突き出した鍔部２４Ａを備える。パネル受け部材２４の円筒部２４Ｂは、支持パネル１５の調整孔１５Ａ内に挿入されて固着され、鍔部２４Ａの上面（上床材１４側へ向けられた面）が支持パネル１５の下面（床スラブ１２と対向する側の面）に固着される。パネル受け部材２４の円筒部内周面には、雌ネジ部２４Ｃが形成され、この雌ネジ部２４Ｃには、支持ボルト２２の軸部に形成された雄ネジ部２２Ｂが螺合される。これらにより、上床材１４は、床スラブ１２との間に間隔をもって配置される。
【００２８】
支持ボルト２２の先端部には、マイナスドライバを差し込むための凹部（図示省略）が形成されており、上床材１４の下地パネル１４Ａに捨張材１４Ｂ、仕上げ材１４Ｃが敷設される前の状態において、マイナスドライバを支持ボルト２２の凹部（図示省略）に差し込んで支持ボルト２２を回転させることによって、床スラブ１２からの下地パネル１４Ａの高さを調節することができるようになっている。
【００２９】
図３及び図４に示すように、動吸振器３０は、第２弾性部材３２及び、質量体４０を備えている。第２弾性部材３２は、円筒状の筒部３４、及び、平板状のフランジ部３６を備えている。筒部３４とフランジ部３６は、一体的に成形されており、フランジ部３６の板面中央部に筒部３４の外周面が配置され、フランジ部３６は筒部３４の筒軸と直交する方向に延出されている。筒部３４の内側には、中空空間Ｒ１が構成されている。
【００３０】
第２弾性部材３２は、フランジ部３６の筒部３４が配置されていない側の板面が下地パネル１４Ａの下面に取り付けられる。取り付けは、２枚のフランジプレート３８をフランジ部３６の下面に各々配置し、フランジプレート３８の下側からねじ３７を下地パネル１４Ａまでねじ込むことにより行われている。これにより、第２弾性部材３２の筒部３４は、下地パネル１４Ａの下面に筒軸が沿うように配置される。
【００３１】
第２弾性部材３２は、ゴム、ウレタン、樹脂、などで構成することができる。本実施形態では、中空空間Ｒ１の大きさ、筒部３４の厚み、筒部３４の長さを調整することにより、バネ定数を容易に調整することができる。また、第２弾性部材３２には、帆布などの補強部材を入れて補強してもよい。
【００３２】
第２弾性部材３２の筒部３４の中空空間Ｒ１には、質量体４０が配置されている。質量体４０は、直方体状とされ、長手方向が筒部３４の筒軸方向に沿って配置されている。質量体４０は、金属で構成することができる。質量体４０の取り付けは、筒部３４の下側に質量体プレート４２を配置し、質量体プレート４２の下側からねじ４３を質量体４０までねじ込むことにより行われている。質量体プレート４２に代えてワッシャーを用いてもよい。これにより、第２弾性部材３２には、鉛直方向下側へ向かって引張力が作用されている。質量体４０としては、比重の高い材料を用いると、質量体４０をコンパクトに構成することができる。質量体４０は、ＦＲＰ、鋼材、金属、水、砂、セラミック、樹脂などの材料で構成することができる。
【００３３】
質量体４０は、第２弾性部材３２からの振動を吸収するように上下動することで、上床材１４から床スラブへの振動を減衰する。動吸振器３０と床スラブ１２との間には、所定のクリアランスＣが構成され、これにより、質量体４０が上下に振動する場合でも、その下端が床スラブ１２と接触しないようになっている。
【００３４】
また、質量体４０は、筒部３４内に収納されているので、床下の配管等と質量体４０とが直接接触することがなく、金属同士がぶつかり合う際に生じる音（金属鳴り）を防止することができる。
【００３５】
（作用）
【００３６】
次に、上記の実施形態の作用を説明する。
【００３７】
上階で発せられた床衝撃音（例えば、歩行音等）の振動は、上床材１４から、支持パネル１５、支持ボルト２２、中間受け部材２０を介してクッションゴム１８へ伝わり、クッションゴム１８で減衰されながら床スラブ１２へ伝わる。このとき、動吸振器３０の質量体４０が、第２弾性部材３２を介して上床材１４の振動を打ち消すように上下方向に振動する。これにより、クッションゴム１８へ伝わる振動が減衰され、上床材１４から床スラブ１２へ伝わる振動を低減させることができる。
【００３８】
本実施形態では、動吸振器３０が床支持具１６と分離して配置されているので、動吸振器３０が床支持具１６と直列的に配置されている場合と比較して、床支持動吸振器２８の高さを低くすることができる。したがって、上床材１４の下面と床スラブ１２との間の距離が短い低床にも設置することができる。
【００３９】
また、本実施形態では、質量体４０が第２弾性部材３２の筒部３４内に収納されているので、床下の配管等と質量体４０とが直接接触することを防止することができる。
【００４０】
なお、本実施形態では、第２弾性部材３２の筒部３４を円筒状としたが、図５及び図６に示すように、６角筒形状の角筒部３５とすることや、その他の角筒形状とすることもできる。この場合には、角筒を構成する一面の内側に質量体４０を配置する。そして、質量体４０の取り付けは、角筒部３５の下側に質量体プレート４２を配置し、質量体プレート４２の下側からねじ４３を質量体４０までねじ込むことにより行うことができる。
【００４１】
また、本実施形態では、質量体４０を中空空間Ｒ１に配置したが、図７及び図８に示す
ように、質量体４０を筒部３４の外側に配置することもできる。この場合には、質量体プ
レート４２を中空空間Ｒ１内に配置し、ねじ４３を下側から質量体４０及び筒部３４を貫
通させて質量体プレートまでねじ込むことにより、質量体４０を保持することができる。
【００４２】
［第２実施形態］
次に、本発明の第２実施形態について説明する。本実施形態では、第１実施形態と同様の部分については同一の符号を付して、その詳細な説明は省略する。
【００４３】
本実施形態の床構造６０では、動吸振器の構成以外については第１実施形態と同様である。
【００４４】
本実施形態の床構造６０は、床支持具１６及び動吸振器７０を備えている。
【００４５】
図９及び図１０に示すように、動吸振器７０は、第２弾性部材７２及び、質量体８０を備えている。第２弾性部材７２は、円筒状の筒部７４、及び、フランジ部７６を備えている。筒部７４とフランジ部７６は、一体的に成形されており、フランジ部７６は、筒部７４の筒軸方向に筒部７４から延出されている。筒部７６内には、中空空間Ｒ２が構成されている。
【００４６】
筒部７４には、互いに対向する位置に上平坦部７４Ａ、下平坦部７４Ｂが形成されている。第２弾性部材７２は、上平坦部７４Ａが下地パネル１４Ａの下面に取り付けられる。取り付けは、板状のフランジプレート７８を、フランジ部７６の下面及び上平坦部７４Ａに沿った筒部７４の内壁に配置し、中空空間Ｒ２からねじ７７を下地パネル１４Ａまでねじ込むことにより行われている。これにより、第２弾性部材７２の筒部７４は、下地パネル１４Ａの下面に筒軸が沿うように配置される。
【００４７】
第２弾性部材７２についても、ゴム、ウレタン、樹脂などで構成することができる。本実施形態では、中空空間Ｒ２の大きさ、筒部７４の厚み、筒部７４の長さを調整することにより、バネ定数を容易に調整することができる。
【００４８】
第２弾性部材３２の筒部３４の下側、すなわち下平坦部７４Ｂの下側には、質量体８０が配置されている。質量体８０は、直方体状とされ、長手方向が筒部７４の筒軸方向に沿って配置されている。質量体８０の取り付けは、筒部７４の下平坦部７４Ｂの上側（中空空間Ｒ２内）質量体プレート８２を配置し、質量体４０の下側からねじ８３を質量体プレート８２を挿通するまでねじ込むことにより行われている。これにより、第２弾性部材７２には、鉛直方向下側へ向かって引張力が作用されている。
【００４９】
本実施形態でも、第１実施形態と同様に、上階で発せられた床衝撃音の振動は、上床材１４から、支持パネル１５、支持ボルト２２、中間受け部材２０を介してクッションゴム１８へ伝わり、クッションゴム１８で減衰されながら床スラブへ伝わる。このとき、動吸振器７０の質量体８０が、第２弾性部材７２を介して上床材１４の振動を打ち消すように上下方向に振動する。これにより、クッションゴム１８へ伝わる振動が減衰され、上床材１４から床スラブ１２へ伝わる振動を低減させることができる。
【００５０】
なお、第２弾性部材７２の筒部７４には、図１１に示すように、周方向に補強布９０を埋め込んでもよい。補強布９０を用いることにより、ゴム製の筒部７４のクリープ変形を抑制することができる。
【００５１】
また、第１実施形態では、質量体を筒部の内側に配置し、第２実施形態では、質量体を筒部の外側に配置したが、図１２に示すように、質量体９０を、筒部９２を構成する部材の中に包み込むように配置してもよい。このように、質量体９０を筒部９２で覆うことにより、質量体９１が床下の配管等と干渉し合うことを防止することができる。
【図面の簡単な説明】
【００５２】
【図１】第１実施形態に係る床構造及び床支持具の縦断面を示す断面図である。
【図２】第１実施形態に係る床構造の下地パネル及び床支持動吸振器の配置を示す平面図である。
【図３】第１実施形態に係る床支持具及び動吸振器の断面図である。
【図４】第１実施形態に係る動吸振器の斜視図である。
【図５】第１実施形態に係る動吸振器の変形例の断面図である。
【図６】第１実施形態に係る動吸振器の変形例の斜視図である。
【図７】第１実施形態に係る動吸振器の他の変形例の断面図である。
【図８】第１実施形態に係る動吸振器の他の変形例の斜視図である。
【図９】第２実施形態に係る動吸振器の（Ａ）は断面図であり、（Ｂ）は側面図である。
【図１０】第２実施形態に係る動吸振器の斜視図である。
【図１１】第２実施形態に係る動吸振器の他の変形例の断面図である。
【図１２】第２実施形態に係る動吸振器の他の変形例の断面図である。
【符号の説明】
【００５３】
１０   床構造
１２   床スラブ
１４Ａ 下地パネル
１４   上床材
１５   支持パネル
１６   床支持具
１８   クッションゴム
２２   支持ボルト
２８   床支持動吸振器
３０   動吸振器
３２   第２弾性部材
３４   筒部
３５   角筒部
４０   質量体
６０   床構造
７０   動吸振器
７２   弾性部材
７４   筒部
７６   筒部
８０   質量体
９１   質量体
９２   筒部
Ｒ１   中空空間
Ｒ２   中空空間
【図１】
0005128971.tif 000002
【図２】
0005128971.tif 000003
【図３】
0005128971.tif 000004
【図４】
0005128971.tif 000005
【図５】
0005128971.tif 000006
【図６】
0005128971.tif 000007
【図７】
0005128971.tif 000008
【図８】
0005128971.tif 000009
【図９】
0005128971.tif 000010
【図１０】
0005128971.tif 000011
【図１１】
0005128971.tif 000012
【図１２】
0005128971.tif 000013